(57)【要約】  気体バネが、軸方向に延びる側壁、開口端、この開口端から間隔を置いて配置された閉鎖端壁、及び壁によって部分的に設けられて加圧下でガスを受ける圧力室を備えるケーシングと、ケーシング内に収容されるハウジングに摺動自在に収容される伸長位置と後退位置との間で移動可能なピストンロッドとを備える。ピストンロッドの周りを摺動可能に担持されかつ通常ケーシングの軸方向外向きに突出する圧力解放カラーは、ピストンロッドのオーバートラベル状態の間にピストンロッドシールの一部を軸方向内向きに変位させて過圧開放経路を開き、圧力室の加圧気体を気体バネの外側に逃がす。【選択図】図１
2019529829.tif 000002
【特許請求の範囲】
【請求項１】
軸方向に延びる側壁、開口端、前記開口端から軸方向に間隔を置いて配置された横方向に延びる閉鎖端壁、及び前記側壁と前記閉鎖端壁とによって部分的に画定されて加圧ガスを受ける圧力室を有するケーシングと、
ロッド内向端及び該ロッド内向端から軸方向に間隔を置いて配置されたロッド外向端を含むピストンロッドハウジング、並びに前記ピストンロッドハウジングによって担持されるピストンロッド軸受を有する、前記ケーシングの内部で担持される軸受組立体と、
前記ピストンロッド軸受内に摺動可能に収容され伸長位置と後退位置との間で往復運動するピストンロッドと、
前記軸受組立体と前記ケーシングの開口端との間に配置されるピストンロッドシールと、
前記軸受組立体と前記ケーシングの開口端との間に前記ピストンロッドの周りに摺動可能に少なくとも部分的に軸方向に担持され、前記ピストンロッドハウジングを越えて軸方向に突き出るカラー外向端及び前記ピストンロッドシールと接触するカラー内向端を有するオーバートラベル圧力解放カラーと、を備える
成形装置用気体バネ。
【請求項２】
前記ピストンロッドシールが、前記ケーシングの内面と接触する半径方向外側リップと、前記ピストンロッドの外面と接触する半径方向内側リップとを有するＵカップシールである、請求項１に記載の気体バネ。
【請求項３】
前記オーバートラベル圧力解放カラーの前記カラー内向端がバヨネット形状である、請求項１に記載の気体バネ。
【請求項４】
前記ピストンロッドシールと前記ケーシングの開口端との間に配置され、前記カラーを前記気体バネ内に軸方向に保持するように前記カラー内向端の外径より小さい内径を有するシール支援をさらに備えている、請求項１に記載の気体バネ。
【請求項５】
前記ケーシングの開口端に担持され前記カラー外向端を超えて軸方向に突出し前記ピストンロッドと係合されるワイパをさらに備えて、前記カラーが前記ワイパによって隠される、請求項１に記載の気体バネ。
【請求項６】
前記ピストンロッドシールが、前記ケーシングの内面と接触する外側リップと、前記ピストンロッドの外面と接触する内側リップとを含む、請求項１に記載の気体バネ。
【請求項７】
オーバートラベル状態の間、前記カラーが前記ピストンロッドシールに対して軸方向内向きに移動して、前記カラー内向端が前記ピストンロッドシールの内側リップを半径方向に変位させて過圧開放通路を開き、前記圧力室内の加圧ガスが開放通路を通って気体バネの外側の大気に逃げ得る、請求項６記載の気体バネ。
【請求項８】
オーバートラベル状態の間、前記カラーが前記ピストンロッドシールに対して軸方向内向きに移動して、前記カラーが前記ピストンロッドシールの一部を半径方向に変位させて過圧開放経路が開き、前記圧力室内の加圧ガスが開放経路を通って気体バネの外側の大気に逃げ得る、請求項１記載の気体バネ。
【請求項９】
前記オーバートラベル圧力解放カラーが前記ピストンロッド用の軸受組立体も提供する、請求項１に記載の気体バネ。
【請求項１０】
前記オーバートラベル圧力解放カラーは、前記ピストンロッド上に開口する、中に潤滑剤を収容するための環状溝をさらに含む、請求項９に記載の気体バネ。
【請求項１１】
軸方向に延びる側壁、開口端、該開口端から軸方向に間隔を置いて配置された横方向に延びる閉鎖端壁、及び部分的に前記側壁と前記閉鎖端壁とによって画定されて中に加圧された気体を収容するケーシングと、
内向端、及び内向端から軸方向に間隔を置いて配置されケーシングの開口端に隣接して前記ケーシング内に受容される外向端を有するピストンロッドハウジングと、
前記ピストンロッドハウジングを貫通して延在すると共に、前記圧力室内に収容された内向端及び通常前記ケーシングの外側に存する外向端を有するピストンロッドと、
前記ハウジングによって担持され、前記ピストンロッドと前記ハウジングとの間に密閉を提供するピストンロッドシールと、
前記ハウジングによって担持され、前記ハウジングと前記ケーシングとの間に密閉を提供するシールと、
前記ピストンロッドの周りに摺動可能に収容され、前記ハウジングによって摺動可能に担持され、前記ケーシングの開口端を越えて軸方向に突出するカラー外向端及び前記ピストンロッドシールの少なくとも一部と接触するように構成されたカラー内向端とを有するオーバートラベル圧力解放カラーと、を備える
成形装置用気体バネ。
【請求項１２】
前記ピストンロッドシールが、前記ピストンロッドハウジングの内面と接触する半径方向外側リップと、前記ピストンロッドの外面と接触する半径方向内側リップとを有するＵカップシールである、請求項１１に記載の気体バネ。
【請求項１３】
前記オーバートラベル圧力解放カラーの前記カラー内向端がバヨネット形状である、請求項１１に記載の気体バネ。
【請求項１４】
前記カラーにおける前記カラー内向端に隣接する一部分が前記ハウジングの一部と重なって、前記カラーを前記気体バネ内に保持する、請求項１３に記載の気体バネ。
【請求項１５】
前記ケーシングの開口端に隣接する前記カラーによって担持され、前記カラー外端を超えて軸方向に突出し前記ピストンロッドに接するピストンロッドワイパをさらに備える、請求項１１に記載の気体バネ。
【請求項１６】
前記ピストンロッドシールが、前記ハウジングの内面と接触する外側リップ、及び前記ピストンロッドの外面と接触する内側リップを含む、請求項１１に記載の気体バネ。
【請求項１７】
オーバートラベル状態の間、前記カラーが前記ピストンロッドシールに対して軸方向内向きに移動して過圧開放通路を開き、前記圧力室内の加圧ガスが前記開放通路を通って前記気体バネの外側の大気に逃げ得る、請求項１６に記載の気体バネ。
【請求項１８】
オーバートラベル状態の間、前記カラーが前記ピストンロッドシールに対して軸方向内向きに移動して前記カラーが前記ピストンロッドシールの一部分を変位させて過圧開放通路を開き、前記圧力室の加圧ガスが前記開放経路を通って前記気体バネの外側の大気に逃げ得る、請求項１１に記載の気体バネ。
【発明の詳細な説明】
【技術分野】
【０００１】
本出願は、米国特許仮出願第６２／３９５，７２９号の権益を主張し、その開示は参照により本明細書に組み込まれる。
【０００２】
本発明は、一般に気体バネに関し、より詳細には、気体バネ用のオーバートラベル圧力解放機構に関する。
【背景技術】
【０００３】
気体バネが、よく知られ、金属板打抜き作業用のプレスの金型に使用されてきた。例えば、気体バネは、他の多くの種類の用途の中でもプレスクッションとして使用することができる。従来の気体バネは、ケーシングと、ケーシング内に担持されたピストンロッドと、リテーナによってケーシング内に保持されてケーシング内にピストンロッドを案内し保持する軸受及びシールハウジングと、加圧ガス、典型的には窒素を、例えばいくつかの用途では２，０００〜５，０００ＰＳＩの動作圧力で保持する圧力室と、を備える。ハウジングは、ケーシング内でのピストンロッドの移動を案内するための１つ又は複数の軸受と、圧力室からの漏れを防ぐための１つ又は複数のシールとを含む。加圧ガスは、ピストンロッドを伸長位置に付勢し、そして伸長位置から後退位置へのピストンロッドの移動に柔軟に抵抗する。しかし、ピストンロッドは、設計意図の後退位置を超えてオーバートラベルする可能性があり、そのようなオーバートラベルは望ましくない過剰圧力及び他の望ましくない状態をもたらす場合がある。
【発明の概要】
【課題を解決するための手段】
【０００４】
いくつかの実施形態では、機器を形成するための気体バネには、側壁、開口端、及び開口端からほぼ軸方向に間隔を置いて閉じられ圧力下の気体を収容する圧力室を部分的に画定する閉鎖端を有するケーシングと、開口端に隣接してケーシング内に収容されるピストンロッドハウジングと、ハウジング内に収容され伸縮位置の間で往復運動するピストンロッドと、ピストンロッドを取り囲み支持する軸受ピストンロッドシールと、ピストンロッドに対して摺動可能で通常ケーシングの開口端を越えて軸方向に突出する外端を有しピストンロッドを取り囲むオーバートラベル圧力解放カラーと、が設けられる。カラーは、ピストンロッドシールと接触する内向端を有し、概してピストンロッドのオーバートラベル状態の間にカラーのケーシングの閉鎖端に向かう軸方向に移動することでピストンロッドからシールの少なくとも一部が変位して加圧ガスが圧力室から気体バネの外部へ逃げる通路を提供するように構成される。
【０００５】
少なくともいくつかの実施態様では、オーバートラベル圧力解放カラーはまた、ピストンロッドのための支持面を提供し、その伸長位置と後退位置との間でのピストンロッドの軸方向往復動のための唯一のガイドであり得る。少なくともいくつかの実装形態では、軸受がピストンロッドハウジングによって担持されてピストンロッドの伸長位置と後退位置との間でのピストンロッドの軸方向往復運動を案内してもよい。少なくともいくつかの実施態様では、ピストンロッドシールはピストンロッドハウジングによって担持されてもよく、他の実施態様では、ピストンロッドシールはケーシングによって担持されてもよい。少なくともいくつかの実施態様では、ピストンロッドシールは、ピストンロッドと密封係合する内側リップと、ピストンロッドハウジング又はケーシングの一方と密封係合する外側リップとを含み得る。少なくともいくつかの実施形態では、オーバートラベル状態の間にカラーがピストンロッドシールに対して軸方向内向きに移動して、カラー内向端がピストンロッドシールの内側リップの少なくとも一部を半径方向に変位させて、圧力室の加圧ガスがシールを通過して気体バネの外側の大気に逃げるのを可能にする。
【０００６】
以下の好ましい実施形態及び最良の形態の詳細な説明は、添付の図面に関して説明されるであろう。
【図面の簡単な説明】
【０００７】
【図１】ピストンが伸長位置にありオーバートラベル圧力解放構成部品を有する、現在好ましい状態の気体バネの断面図である。
【図２】図１の気体バネの断面図で、設計意図の最大移動位置にあるピストンを示す。
【図３】図２の気体バネの一部の拡大部分断面図で、図２の円Ｎから見た図である。
【図４】図１の気体バネの断面図で、ピストンがオーバートラベル位置にあり、バネからの気体の排出を示す図である。
【図５】図４の気体バネの一部の拡大部分断面図で、図４の円Ｍから見た図である。
【図６】変更されたガイド及びシール組立体を有する、図１の部分断面図である。
【発明を実施するための形態】
【０００８】
図面をより詳細に参照すると、図１は、成形装置、例えば薄板金型打抜き金型及び機械プレス（図示せず）に使用できる気体バネ１０を示す。一般に、気体バネ１０は、ケーシング１２と、ケーシング１２によって担持されたガイドシール組立体１４と、ケーシング１２によって担持されガイドシール組立体１４を貫通して延びるピストンロッド１６と、圧力室１７とを含む。ピストンロッド１６の軸方向外向端は、金型部材、又はプレスの別の部分若しくは成形装置（図示せず）の部分に又はこれらによって係合可能であり得る。
【０００９】
例えば、１つ又は複数の気体バネ１０を成形装置の様々な実施形態で使用して、成形金型又は加工物を降伏力又は戻り力で支持するための可動構成部品を提供することができる。例えば、ブランクホルダ（binder ring）の実施態様では、気体バネ１０は成形金型のブランクホルダに対して降伏力を与えて、成形金型の他の部分が加工物を成形し、切断し、伸張し又は曲げながら、金属加工物を保持する。リフターの実施では、気体バネ１０が降伏力及び戻り力を提供して、加工品を成形金型の表面から持ち上げたり他に加工品の制御を維持したりする。カム工具の実施において、気体バネ１０は降伏力を加えて、カム作動工具をその定位置に戻す。当然のことながら、気体バネ１０は、広範囲の他の実施形態において使用することができる。
【００１０】
本開示によれば、気体バネ１０のピストンロッド１６がオーバートラベル状態にある場合には、気体バネ１０はオーバーストローク又はオーバートラベル圧力解放部品１８を含む。以下にさらに詳細に説明するように、超過圧力解放構成部品１８は、ガイドシール組立体１４の一部であり得、そして加圧ガスを圧力室１７の外と連通させるように働いてもよく、圧力室１７内のガスの可能な過剰圧力を含む超過状態の保護を提供する。本明細書でさらに詳細に説明するように、オーバートラベル状態の場合には、オーバートラベル圧力解放部品１８が変位してシールを外し、加圧ガスを気体バネ１０の圧力室１７内から開放する。本明細書で使用するとき、用語「オーバートラベル状態」には、気体バネ１０が相互作用する金型部材又は他の任意の機械構成部品によってピストンロッドが気体バネ１０内の設計意図位置を超えてケーシング１２内に引き込まれる条件が含まれる。
【００１１】
図１を参照すると、ケーシング１２は、その中にガイドシール組立体１４及びピストンロッド１６を収容することができる、閉鎖端２２及び開口端２４で軸方向に終端する側壁２０を含むことができる。圧力室１７は、少なくとも部分的に側壁２０、２２によって画定され、加圧ガスを受ける。図示の実施形態では、閉鎖端２２は、側壁２０に結合されるが、シール例えばクリンプ、カシメ加工、又は他の成形によって密封された別個の構成部品でよい。他の実施形態では、閉鎖端２２は、溶接継手を介して側壁２０に結合されてもよく、又は側壁２０と一体的に製造されてもよい。ケーシング１２の側壁２０は、少なくとも部分的に圧力室１７を画定する内面２６、及び外面２８を有する。ケーシング１２は、例えば概して円筒形であってもよく、その場合、内面２６又は外面２８の少なくとも一方は円筒形である。側壁２０は円周方向に延びるリテーナビード３０を有して、ガイド及びシール組立体１４の少なくとも一部を軸方向に保持して気体バネ１０をその組み立てられた状態に維持する。プレス内での気体バネ１０の取付け及び位置決めを容易にするために、ケーシング１２の外面２８に一対の長手方向に間隔を置いて配置された周方向溝３２、３４を機械加工、形成、又は他の方法で設けることができる。例えば、気体を気体バネ１０の中に収容するのに、ケーシング１２は、任意の適切な方法でケーシング１２の閉鎖端２２を貫通して設けることができる通路又は充填ポート３６を含むことができる。充填バルブ３８は、ケーシング１２によって担持されて、気体バネ１０が充填ポート３６を通って加圧され、気体バネ１０が加圧されたときに充填ポート３６を閉じることを可能にする。図示のように充填バルブ３８はポペットバルブとすることができるが、代わりにケーシング１２の閉鎖端２２の任意の適切な位置でのシュレーダ充填バルブ又は任意の他の適切な種類のバルブでもよい。
【００１２】
ガイドシール組立体１４は、ケーシング１２の開口端２４内に配置されるか又はその近くに担持されてもよく、ケーシング１２に密封結合されてもよい。組立体１４は、ハウジング４４、及びハウジング４４に担持される案内軸受４６を含む軸受ハウジングを含んでよい。組立体１４には、ハウジング４４と開口端２４との間に配置され得るロッドシール４８と、ロッドシール４８と開口端２４との間に配置され得るシール支援４７と、シール支援４７と開口端２４との間に担持され開口端２４から突出することができるロッドワイパ５０と、ワイパ５０の一部分と開口端２４との間に担持されＯリングを含み得るケーシングシール５１とが設けられる。案内軸受４６は、１つ又は複数の構成部品を含み、ピストンロッド１６と摺動可能に係合するような大きさにされて、ケーシング１２内で軸方向に往復運動するようにピストンロッド１６を案内する。図示の実施形態では、案内軸受４６は任意の適切な低摩擦材料で構成され得るブッシュを含む。ピストンロッドシール４８は、ケーシング１２の内面２６と接触する半径方向外側リップ４８ａと、ピストンロッド１６の外面と接触する半径方向内側リップ４８ｂとを有するＵカップシールを含むことができる。
【００１３】
ピストンロッド１６は、後退ストローク及び伸長若しくは戻りストロークを含む気体バネ１０のサイクルにわたって伸長位置と後退位置との間で軸線Ａに沿って往復運動するように、ケーシング１２内にガイドシール組立体１４を通って少なくとも部分的に配置される。ピストンロッド１６は、圧力室１７内の加圧ガスによって作用されて、ピストンロッド１６を伸長位置に向かってそして後退位置から離れるように付勢される。ピストンロッド１６は、ガイドシール組立体ハウジング４４を貫通してケーシング１２の外へ延びると共に、軸方向外向端５２、及びケーシング１２内に配置され半径方向に拡張されていてもよい軸方向内向端５４を含む。例えば、ピストンリテーナ５６は、例えばピストンロッド１６をカシメ加工することで軸方向内向端５４に結合することができる。リテーナ５６は、ピストンロッドハウジング４４の一部と係合して、ピストンロッド１６をケーシング１２内に保持することができる。ピストンロッド１６は、伸長位置と後退位置との間に案内された相対運動によりロッドシール４８と密封係合しピストンロッド軸受４６と摺動係合する。
【００１４】
図示されているように、オーバートラベル圧力解放部品１８は、カラー６０を含むことができ、カラーは、ガイドシール組立体１４とケーシング開口端２４との間に少なくとも部分的に軸方向にピストンロッド１６の周りに摺動可能に担持され、シール支援４７に軸方向に保持される。図示の実施形態では、カラー６０は円周方向に連続して円筒形の内面を有している。カラー６０は、ハウジング１２の開口端２４に対して軸方向内側に配置されかつピストンロッドシール４８と接触する内向端６２と、ハウジング１２の開口端２４に対して軸方向で超えた又は外側に配置された軸方向外向端６４とを含む。言い換えれば、カラー６０は、その軸方向外向端６４において、ハウジング４４及びケーシング１２から軸方向に突出する又はそれを越えて延びる。カラーの内向端６２は、例えば、肩部を有する顎、円筒状の内側表面、及びカラー６０の内側表面に対してゼロでない角度で配置された外側表面を含むバヨネット形状又はくさび形状であり得る。シール支援４７はカラー内向端６２の外径よりも小さい内径を有して、カラー６０を気体バネ１０内に軸方向に保持する。ワイパ５０は、カラー外向端６４を越えて軸方向に突出しており、カラー６０がワイパ５０によって隠されるようにピストンロッド１６と係合することができる。
【００１５】
気体バネ１０は、任意の適切な方法で組み立てることができ、その様々な構成部品は、任意の適切な方法で製造することができ、任意の適切な材料から構成することができる。例えば、ケーシング１２は、鋼鉄のような金属管及び／又は金属棒材から旋削、穿孔、削孔、ねじ切り、及び／又は他の方法で機械加工することができる。別の例では、カラー６０は、例えば鋼、真鍮、銅、炭素繊維、ポリマー材料、及び／又は他の任意の適切な材料から構成されてもよい。
【００１６】
動作中、任意の適切な加圧デバイス（図示せず）をポート３６に結合してバルブ３８を開き、加圧ガスをポート３６に導入することができる。所望の圧力に達すると加圧装置が後退してバルブ３８が閉じ、これによって圧力室１７内の加圧ガスを密閉することができる。
【００１７】
図２に示すように、使用中に、金型部材又は他の機械部品（図示せず）がピストンロッド１６をケーシング１２内へ軸方向内向きに変位させて、圧力室１７内のガスを圧縮する。図２は、ケーシング１２に対するピストンロッド１６の設計上の最大圧縮位置にある気体バネ１０を示している。図示のように、この位置で、ピストンロッド１６の軸方向最外面はオーバートラベル開放部品１８の軸方向最外面を越えて軸方向に突出している。また、図３に示すように、オーバートラベル開放部品１８はシール４８に対して移動していない。
【００１８】
しかしながら、対照的に、図４を参照すると、金型部材又は他の任意の機械部品（図示せず）は、ピストンロッド１６をケーシング１２内にさらに軸方向に変位され得る。機械構成部品が気体バネ１０に対して設計意図位置を超えて移動するオーバートラベル状態のような場合、機械部品がオーバートラベル開放構成部品１８の軸方向外向端６４にぶつかり変位をもたらす。オーバートラベル開放部材１８のこのような軸方向の変位によりシール４８の一部が半径方向外側へ変位し、図４に例示されているように及び図５にさらに明りょうに示されるように、それによってチャンバ１７内の加圧ガスはピストンロッド１６とシール４８との間の経路を通って気体バネ１０の外部に逃げ得る。
【００１９】
図示の実施形態では、例えば、オーバートラベル状態の間、カラー６０がピストンロッドシール１８に対して軸方向内向きに移動して、カラー内向端６２がピストンロッドシール４８の内側リップ４８ｂを半径方向に変位させ、過圧開放通路を開き、圧力室１７内の加圧ガスが開放通路を通って気体バネ１０の外側の大気に逃げ得る。より具体的には、カラー内向端６２及びシール内側リップ４８ｂの対応する傾斜／傾斜面が協働して、それらの間の相対的な軸方向の動きがシール４８の半径方向外向きの動きを引き起こしてシール４８とピストンロッド１６との間の密閉係合を解除するか又は破る。
【００２０】
図６は、変更されたガイドシール組立体１４’を除いて気体バネ１０と本質的に同じ構造及び配置を有する気体バネ１０’を示す。気体バネ１０の構成部品と本質的に同じである気体バネ１０’の構成部品は気体バネ１０の対応する構成部品と同じ参照番号で識別され、従ってこれらの構成部品の説明は繰り返さない。
【００２１】
改良されたガイドシール組立体１４’は、ケーシング１２内に摺動自在に収容され、且つハウジング内の相補的環状凹部７２及び７４内に収容された２つのセグメントの割りリング７０により取外し可能に保持される環状ハウジング４４’を有する。ロッドワイパ５０’がハウジング４４’の上端部の環状凹部７６内に収容されている。ピストンロッドシール４８はハウジング４４'の環状凹部７８内に収容されかつ保持され、この凹部はピストンロッド１６上に半径方向内側に開口している。ハウジング４４'とケーシングとの間のシールが、Ｏリング８０及びハウジングの環状溝８４に収容されケーシング１２上に半径方向外側に開く裏当てリング８２によって与えられる。ピストンロッド１６は、ロッドの完全に伸びた位置でハウジング４４’の内向端８６に重なって当接する一体的なリテーナ５６’を有し、ピストンロッドが完全に伸びた位置に移動したときに、ピストンロッドを確実に停止させる。
【００２２】
オーバートラベル圧力解放カラー６０は、ピストンロッド１６を覆ってその周囲に、及びハウジング４４’を貫通してボア８８’内に摺動自在に収容されるが、このボアは円筒形ケーシング壁２６と同軸であってもよい。カラー６０は、ピストンロッド１６の伸長位置と後退位置との間での往復運動を案内する軸受のみを提供する。カラー６０は、カラーの軸受面９４に適した潤滑剤を収容して保持するために、ピストンロッド１６上に半径方向内向きに開口する溝９２を有することができる。
【００２３】
ピストンロッドがオーバートラベル状態にある場合、カラー６０はロッドシール４８に対して軸方向内向きに移動し、シール４８の内側リップ４８ｂの少なくとも一部がロッド１６から変位しオーバートラベル圧力解放経路が開いて、圧力室１７内の加圧ガスがこの開放通路を通って気体バネ１０’の外側の大気に逃げ得る。使用時には、気体バネ１０’は気体バネ１０と同様に作動し、従ってその作動は繰り返して説明しない。
【００２４】
当業者であれば、本発明の範囲内に包含される他の実施形態を認識するであろうことを理解されたい。上記に示し説明した複数の構成は単なる例示であり、完全な又は網羅的なリスト又は代表ではない。もちろん、この開示に照らしてさらに他の実施形態及び実施態様を達成することができる。上記の実施形態は例示的であり、限定的ではない。本発明の範囲は特許請求の範囲によって規定される。
【図１】
2019529829.tif 000003
【図２】
2019529829.tif 000004
【図３】
2019529829.tif 000005
【図４】
2019529829.tif 000006
【図５】
2019529829.tif 000007
【図６】
2019529829.tif 000008
【国際調査報告】
2019529829.tif 000009